(57)【要約】【課題】換気システム等に利用される気体・気体式の熱交換器において破れ状態を合理的且つ正確に判定することができる技術を提供する。【解決手段】互いに隔離された第１風路１１と第２風路１２とを有し、第１風路１１を通流する気体と第２風路１２を通流する気体との間で熱交換可能な熱交換器１０において、第１風路１１と第２風路１２とを導通させる破れ孔が発生していない非破れ状態であるか否かを判定する熱交換器の破れ判定方法であって、第１風路１１及び第２風路１２の夫々の入口及び出口の温湿度状態を検知し、検知された温湿度状態に基づいて非破れ状態であるか否かを判定する判定処理を実行する。【選択図】図２
2018179440.tif 000002
【特許請求の範囲】
【請求項１】
互いに隔離された第１風路と第２風路とを有し、前記第１風路を通流する気体と前記第２風路を通流する気体との間で熱交換可能な熱交換器において、
前記第１風路と前記第２風路とを導通させる破れ孔が発生していない非破れ状態であるか否かを判定する熱交換器の破れ判定方法であって、
前記第１風路及び前記第２風路の夫々の入口及び出口の温湿度状態を検知し、
前記検知された温湿度状態に基づいて前記非破れ状態であるか否かを判定する判定処理を実行する熱交換器の破れ判定方法。
【請求項２】
前記第１風路及び前記第２風路の夫々の入口湿度の差を入口湿度差として、
前記入口湿度差が所定の閾値以下である場合に、前記第１風路及び前記第２風路の夫々の入口及び出口の温度に基づいて前記非破れ状態であるか否か判定する第１判定処理を実行し、
前記入口湿度差が所定の閾値超である場合に、前記第１風路及び前記第２風路の夫々の入口及び出口の湿度又はエンタルピーに基づいて前記非破れ状態であるか否かを判定する第２判定処理を実行する請求項１に記載の熱交換器の破れ判定方法。
【請求項３】
前記第１判定処理として、前記第１風路及び第２風路の夫々の入口温度の差を入口温度差とし、前記第１風路及び前記第２風路のうちの一方側の風路における入口温度と出口温度との差を温度変化幅とし、前記入口温度差に対する前記温度変化幅の割合を温度変化割合として、前記温度変化割合が所定の閾値以下である場合に、前記非破れ状態であると判定する温度判定処理を有する請求項２に記載の熱交換器の破れ判定方法。
【請求項４】
前記熱交換器が全熱交換器であり、
前記入口温度差が所定の閾値超である場合に、前記第１判定処理として、前記温度判定処理を実行する請求項３に記載の熱交換器の破れ判定方法。
【請求項５】
前記温度判定処理において、前記温度変化割合が所定の閾値以下である場合に、前記一方側の風路における風量を増加する風量増加処理を実行し、前記風量増加処理の実行後において前記温度変化割合が所定の閾値以下である場合に、前記非破れ状態であると判定する請求項３又は４に記載の熱交換器の破れ判定方法。
【請求項６】
前記熱交換器が顕熱交換器であり、
前記第２判定処理として、前記第１風路及び前記第２風路のうちの一方側の風路における入口湿度と出口湿度との差を湿度変化幅として、前記湿度変化幅が所定の閾値以下である場合に、前記非破れ状態であると判定する湿度判定処理を実行する請求項２〜５の何れか１項に記載の熱交換器の破れ判定方法。
【請求項７】
前記熱交換器が全熱交換器であり、
前記第１風路及び前記第２風路の夫々の入口及び出口の温湿度に基づいて前記第１風路及び前記第２風路の夫々の入口及び出口のエンタルピーを求め、
前記第２判定処理として、前記第１風路及び第２風路の夫々のエンタルピーの差を入口エンタルピー差とし、前記第１風路及び前記第２風路のうちの一方側の風路における入口エンタルピーと出口エンタルピーとの差をエンタルピー変化幅とし、前記入口エンタルピー差に対する前記エンタルピー変化幅の割合をエンタルピー変化割合として、前記エンタルピー変化割合が所定の閾値以下である場合に、前記非破れ状態であると判定するエンタルピー判定処理を実行する請求項２〜６の何れか１項に記載の熱交換器の破れ判定方法。
【請求項８】
前記エンタルピー判定処理において、前記エンタルピー変化割合が所定の閾値超である場合に、前記第１風路及び第２風路の夫々の入口湿度の差を入口湿度差とし、前記第１風路及び前記第２風路のうちの一方側の風路における入口湿度と出口湿度との差を湿度変化幅とし、前記入口湿度差に対する前記湿度変化幅の割合を湿度変化割合として、前記湿度変化割合が所定の閾値以下である場合に、前記非破れ状態であると判定する請求項７に記載の熱交換器の破れ判定方法。
【請求項９】
前記エンタルピー判定処理において、前記エンタルピー変化割合が所定の閾値超であり、且つ前記湿度変化割合が所定の閾値以下である場合に、前記一方側の風路における風量を増加する風量増加処理を実行し、前記風量増加処理の実行後において前記湿度変化割合が所定の閾値以下である場合に、前記非破れ状態であると判定する請求項８に記載の熱交換器の破れ判定方法。
【請求項１０】
前記熱交換器が全熱交換器であり、
前記第１判定処理として、前記第１風路及び前記第２風路のうちの一方側の風路の通風を停止する通風停止処理を実行し、前記通風が停止された風路の入口温度及び出口温度が他方側の風路の入口温度に一致しない場合に、前記非破れ状態であると判定する通風停止判定処理を実行する請求項２〜９の何れか１項に記載の熱交換器の破れ判定方法。
【請求項１１】
互いに隔離された第１風路と第２風路とを有し、前記第１風路を通流する気体と前記第２風路を通流する気体との間で熱交換可能な熱交換器を備え、
前記第１風路及び前記第２風路のうちの一方側の風路を介して外気を屋内に供給すると共に、他方側の風路を介して還気を屋外へ排出する換気システムであって、
前記熱交換器における前記第１風路及び前記第２風路の夫々の入口及び出口の温湿度状態を検知する検知手段を備えると共に、
請求項１〜１０の何れか１項に記載の熱交換器の破れ判定方法を実行して、前記熱交換器において前記第１風路と前記第２風路とを導通させる破れ孔が発生していない非破れ状態であるか否かを判定し、当該判定結果を通知する判定手段を備えた換気システム。
【発明の詳細な説明】
【技術分野】
【０００１】
本発明は、互いに隔離された第１風路と第２風路とを有し、前記第１風路を通流する気体と前記第２風路を通流する気体との間で熱交換可能な熱交換器において、
前記第１風路と前記第２風路とを導通させる破れ孔が発生していない非破れ状態であるか否かを判定する熱交換器の破れ判定方法、及び互いに隔離された第１風路と第２風路とを有し、前記第１風路を通流する気体と前記第２風路を通流する気体との間で熱交換可能な熱交換器を備え、
前記第１風路及び前記第２風路のうちの一方側の風路を介して外気を屋内に供給すると共に、他方側の風路を介して還気を屋外へ排出する換気システムに関する。
【背景技術】
【０００２】
上記のように気体と気体との熱交換を行う気体・気体式の熱交換器は、一方側の風路を介して外気を屋内に供給すると共に、他方側の風路を介して還気を屋外へ排出する換気システムに設けられる顕熱交換器や全熱交換器として広く利用されている（例えば、特許文献１〜３を参照。）。
【０００３】
このような熱交換器では、経年劣化等により、第１風路と第２風路とを隔離するシート材に破れ孔が発生し、第１風路と第２風路とが導通する破れ状態となることが懸念される。そして、このような破れ孔が発生すると、一方側の風路への他方側の気体の浸入が生じ、熱交換効率や換気効率の悪化の要因となる。
また、気体と液体との熱交換を行う気体−液体式の熱交換器において破れ状態の発生の有無を判定する従来の破れ判定方法として、液体側の圧力を監視し、当該監視した圧力が目標圧力範囲から乖離した場合に、上記破れ状態であると判定する方法が知られている（例えば、特許文献４を参照。）
【先行技術文献】
【特許文献】
【０００４】
【特許文献１】特開２００８−１４５０１８号公報
【特許文献２】特開２０１２−２０２６４２号公報
【特許文献３】特開２０１５−１４３５９５号公報
【特許文献４】特開２００４−１９６１４６号公報
【発明の概要】
【発明が解決しようとする課題】
【０００５】
しかしながら、気体・気体式の熱交換器では、正常時においても圧力変動が生じやすい気体を熱交換対象としていることから、この気体の圧力を用いて上記破れ状態を正確に判定することは困難である。
また、これら熱交換対象となる夫々の気体が異なる成分のものである場合には、例えば一方側の風路において他方側の気体の浸入を成分分析装置などで検出することで、上記破れ状態の発生の有無を判定することが考えられるが、大掛かりな成分分析装置を設置する必要がある上に、上記換気システムのように夫々の気体が共に同じ成分の空気である場合には、このような判定方法を採用することができない。
【０００６】
この実情に鑑み、本発明の主たる課題は、換気システム等に利用される気体・気体式の熱交換器において破れ状態を合理的且つ正確に判定することができる技術を提供する点にある。
【課題を解決するための手段】
【０００７】
本発明の第１特徴構成は、互いに隔離された第１風路と第２風路とを有し、前記第１風路を通流する気体と前記第２風路を通流する気体との間で熱交換可能な熱交換器において、
前記第１風路と前記第２風路とを導通させる破れ孔が発生していない非破れ状態であるか否かを判定する熱交換器の破れ判定方法であって、
前記第１風路及び前記第２風路の夫々の入口及び出口の温湿度状態を検知し、
前記検知された温湿度状態に基づいて前記非破れ状態であるか否かを判定する判定処理を実行する点にある。
尚、本願において、湿度とは、絶対湿度を示す。
【０００８】
気体・気体式の熱交換器では、上記破れ孔が発生した破れ状態において、第１風路及び第２風路の夫々の入口及び出口の温湿度状態が、上記破れ孔が発生してない正常な非破れ状態のときの温湿度状態と比べて変化することになる。そして、本構成によれば、この温湿度状態の変化を利用して、夫々の風路の入口及び出口の温湿度状態を検知するだけで、上記判定処理により、当該検知された温湿度状態に基づいて上記非破れ状態であるか否かを正確に判定することができる。
従って、本発明により、換気システム等に利用される気体・気体式の熱交換器において破れ状態を合理的且つ正確に判定することができる熱交換器の破れ判定方法を提供することができる。
【０００９】
本発明の第２特徴構成は、前記第１風路及び前記第２風路の夫々の入口湿度の差を入口湿度差として、
前記入口湿度差が所定の閾値以下である場合に、前記第１風路及び前記第２風路の夫々の入口及び出口の温度に基づいて前記非破れ状態であるか否か判定する第１判定処理を実行し、
前記入口湿度差が所定の閾値超である場合に、前記第１風路及び前記第２風路の夫々の入口及び出口の湿度又はエンタルピーに基づいて前記非破れ状態であるか否かを判定する第２判定処理を実行する点にある。
【００１０】
本構成によれば、上記入口湿度差が所定の閾値以下である場合には、上記破れ状態における夫々の風路の入口及び出口の湿度が上記非破れ状態のときの湿度と比べてあまり変化しないことから、上記第１判定処理を実行して、確実に変動する夫々の風路の入口及び出口の温度に基づいて正確に非破れ状態であるか否かを判定することができる。
一方、上記入口湿度差が所定の閾値以下である場合には、上記破れ状態における夫々の風路の入口及び出口の湿度又は温湿度から求められるエンタルピーが非破れ状態のときの湿度又はエンタルピーと比べて確実に変化することから、上記第２判定処理を実行して、確実に変化する夫々の風路の入口及び出口の湿度又はエンタルピーに基づいて正確に非破れ状態であるか否かを判定することができる。
【００１１】
本発明の第３特徴構成は、上記第２特徴構成に加えて、前記第１判定処理として、前記第１風路及び第２風路の夫々の入口温度の差を入口温度差とし、前記第１風路及び前記第２風路のうちの一方側の風路における入口温度と出口温度との差を温度変化幅とし、前記入口温度差に対する前記温度変化幅の割合を温度変化割合として、前記温度変化割合が所定の閾値以下である場合に、前記非破れ状態であると判定する温度判定処理を有する点にある。
【００１２】
本構成によれば、入口湿度差が所定の閾値以下である場合に実行される第１判定処理として、上記温度変化割合を用いた上記温度判定処理を実行して、非破れ状態であるか否かを判定することができる。即ち、上記破れ状態において、一方側の風路の温度変化幅の入口温度差に対する割合である温度変化割合は、当該一方側の風路から他方側の風路への破れ孔を介した気体の流入出により増加する。このことを利用して、上記温度判定処理では、温度変化割合が所定の閾値以下である場合には非破れ状態であると推定し、逆に、温度変化割合が所定の閾値超である場合、言い換えれば温度変化割合が許容範囲よりも増加している場合には、破れ状態であると推定することができる。
【００１３】
本発明の第４特徴構成は、上記第３特徴構成に加えて、前記熱交換器が全熱交換器であり、
前記入口温度差が所定の閾値超である場合に、前記第１判定処理として、前記温度判定処理を実行する点にある。
【００１４】
本構成によれば、熱交換器が全熱交換器である場合には、入口湿度差が所定の閾値以下であることに加えて入口温度差が所定の閾値超である場合に、上記温度判定処理を実行することで、非破れ状態であるか否かを正確に判定することができる。
即ち、全熱交換器については、入口湿度差が所定の閾値以下の場合であっても、入口温度差が所定の閾値以下である場合がある。その場合には、上記破れ状態における一方側の風路における温度変化割合の非破れ状態のときの温度変化割合に対する増加が見込めないことから、入口温度差が所定の閾値超である場合にのみ、上記温度判定処理を実行して、非破れ状態であるか否かを正確に判定することができる。
【００１５】
本発明の第５特徴構成は、上記第３又は第４の何れかの特徴構成に加えて、前記温度判定処理において、前記温度変化割合が所定の閾値以下である場合に、前記一方側の風路における風量を増加する風量増加処理を実行し、前記風量増加処理の実行後において前記温度変化割合が所定の閾値以下である場合に、前記非破れ状態であると判定する点にある。
【００１６】
本構成によれば、温度判定処理において、一方側の風路における温度変化割合が所定の閾値以下である場合には、直ぐに破れ孔が発生していない非破れ状態であると判定するのではなく、上記風量増加処理を一乃至複数回実行して一方側の風路における風量を増加させて、破れ孔を介した気体の流入出が発生し易い状況とした上で、温度変化割合が所定の閾値以下である場合に正確に非破れ状態であると判定することができる。
【００１７】
本発明の第６特徴構成は、上記第２〜第５の何れかの特徴構成に加えて、前記熱交換器が顕熱交換器であり、
前記第２判定処理として、前記第１風路及び前記第２風路のうちの一方側の風路における入口湿度と出口湿度との差を湿度変化幅として、前記湿度変化幅が所定の閾値以下である場合に、前記非破れ状態であると判定する湿度判定処理を実行する点にある。
【００１８】
本構成によれば、熱交換器が顕熱熱交換器である場合には、入口湿度差が所定の閾値超である場合に実行される第２判定処理として、上記湿度変化幅を用いた上記湿度判定処理を実行して、非破れ状態であるか否かを判定することができる。即ち、顕熱交換器では、上記破れ状態において、顕熱熱交換器の一方側の風路の湿度変化幅は、当該一方側の風路から他方側の風路への破れ孔を介した気体の流入出により増加する。このことを利用して、上記湿度判定処理では、湿度変化幅が所定の閾値以下である場合には非破れ状態であると推定し、逆に、湿度変化幅が所定の閾値超である場合、言い換えれば湿度変化幅が許容範囲よりも増加している場合には、破れ状態であると推定することができる。
【００１９】
本発明の第７特徴構成は、上記第２〜第６の何れかの特徴構成に加えて、前記熱交換器が全熱交換器であり、
前記第１風路及び前記第２風路の夫々の入口及び出口の温湿度に基づいて前記第１風路及び前記第２風路の夫々の入口及び出口のエンタルピーを求め、
前記第２判定処理として、前記第１風路及び第２風路の夫々のエンタルピーの差を入口エンタルピー差とし、前記第１風路及び前記第２風路のうちの一方側の風路における入口エンタルピーと出口エンタルピーとの差をエンタルピー変化幅とし、前記入口エンタルピー差に対する前記エンタルピー変化幅の割合をエンタルピー変化割合として、前記エンタルピー変化割合が所定の閾値以下である場合に、前記非破れ状態であると判定するエンタルピー判定処理を実行する点にある。
【００２０】
本構成によれば、熱交換器が全熱交換器である場合には、入口湿度差が所定の閾値超である場合に実行される第２判定処理として、上記エンタルピー変化割合を用いた上記エンタルピー判定処理を実行して、非破れ状態であるか否かを判定することができる。即ち、全熱交換器では、上記破れ状態において、一方側の風路のエンタルピー変化幅の入口エンタルピー差に対する割合であるエンタルピー変化割合は、当該一方側の風路から他方側の風路への破れ孔を介した気体の流入出により増加する。このことを利用して、上記エンタルピー判定処理では、エンタルピー変化割合が所定の閾値以下である場合には非破れ状態であると推定し、逆に、エンタルピー変化割合が所定の閾値超である場合、言い換えればエンタルピー変化割合が許容範囲よりも増加している場合には、破れ状態であると推定することができる。
【００２１】
本発明の第８特徴構成は、上記第７特徴構成に加えて、前記エンタルピー判定処理において、前記エンタルピー変化割合が所定の閾値超である場合に、前記第１風路及び第２風路の夫々の入口湿度の差を入口湿度差とし、前記第１風路及び前記第２風路のうちの一方側の風路における入口湿度と出口湿度との差を湿度変化幅とし、前記入口湿度差に対する前記湿度変化幅の割合を湿度変化割合として、前記湿度変化割合が所定の閾値以下である場合に、前記非破れ状態であると判定する点にある。
【００２２】
本構成によれば、エンタルピー判定処理において、一方側の風路におけるエンタルピー変化割合が所定の閾値超である場合には、直ぐに破れ孔が発生している破れ状態であると判定するのではなく、上記湿度変化割合を用いて正確に破れ状態であるか否かを判定することができる。即ち、全熱交換器では、上記破れ状態において、一方側の風路の湿度変化幅の入口湿度差に対する割合である湿度変化割合は、当該一方側の風路から他方側の風路への破れ孔を介した気体の流入出により増加する。このことを利用して、上記エンタルピー判定処理では、一方側の風路におけるエンタルピー変化割合が所定の閾値超であり、破れ状態であると疑われる場合には、上記湿度変化割合についても確認し、当該湿度変化割合が所定の閾値以下である場合には、エンタルピー変化割合が所定の閾値超となった要因は破れ孔の発生によるものではなく、例えば熱交換器の熱交換効率の変化等によるものであるとして、破れ状態と判定することなく、非破れ状態であると判定し直すことができる。
【００２３】
本発明の第９特徴構成は、上記第８特徴構成に加えて、前記エンタルピー判定処理において、前記エンタルピー変化割合が所定の閾値超であり、且つ前記湿度変化割合が所定の閾値以下である場合に、前記一方側の風路における風量を増加する風量増加処理を実行し、前記風量増加処理の実行後において前記湿度変化割合が所定の閾値以下である場合に、前記非破れ状態であると判定する点にある。
【００２４】
本構成によれば、エンタルピー判定処理において、一方側の風路におけるエンタルピー変化割合が所定の閾値超であり、且つ湿度変化割合が所定の閾値以下である場合には、直ぐに破れ孔が発生していない非破れ状態であると判定するのではなく、上記風量増加処理を一乃至複数回実行して一方側の風路における風量を増加させて、破れ孔を介した気体の流入出が発生し易い状況とした上で、エンタルピー変化割合が所定の閾値以下である場合に正確に非破れ状態であると判定することができる。
【００２５】
本発明の第１０特徴構成は、上記第２〜第９の何れかの特徴構成に加えて、前記熱交換器が全熱交換器であり、
前記第１判定処理として、前記第１風路及び前記第２風路のうちの一方側の風路の通風を停止する通風停止処理を実行し、前記通風が停止された風路の入口温度及び出口温度が他方側の風路の入口温度に一致しない場合に、前記非破れ状態であると判定する通風停止判定処理を実行する点にある。
【００２６】
本構成によれば、熱交換器が全熱交換器である場合には、入口湿度差が所定の閾値以下であることに加えて入口温度差が所定の閾値以下である場合に、上記通風停止判定処理を実行することで、非破れ状態であるか否かを正確に判定することができる。即ち、全熱交換器では、上記破れ状態において、一方側の風路の通風を停止した場合に、当該一方側の風路への他方側の風路からの破れ孔を介した気体の浸入により、その風路の入口温度及び出口温度が他方側の風路の入口温度に略一致する。このことを利用して、上記通風停止判定処理では、上記通風停止処理を実行して一方側の風路の通風を停止した上で、当該一方側の風路の入口温度及び出口温度が他方側の風路の入口温度に一致しない場合には、非破れ状態であると正確に判定することができる。
【００２７】
本発明の第１１特徴構成は、互いに隔離された第１風路と第２風路とを有し、前記第１風路を通流する気体と前記第２風路を通流する気体との間で熱交換可能な熱交換器を備え、
前記第１風路及び前記第２風路のうちの一方側の風路を介して外気を屋内に供給すると共に、他方側の風路を介して還気を屋外へ排出する換気システムであって、
前記熱交換器における前記第１風路及び前記第２風路の夫々の入口及び出口の温湿度状態を検知する検知手段を備えると共に、
上記第１〜第１０の何れかの特徴構成を有する熱交換器の破れ判定方法を実行して、前記熱交換器において前記第１風路と前記第２風路とを導通させる破れ孔が発生していない非破れ状態であるか否かを判定し、当該判定結果を通知する判定手段を備えた点にある。
【００２８】
即ち、本発明に係る換気システムは、検知手段及び判定手段を備えることで、これまで説明した本発明に係る熱交換器の破れ判定方法を好適に実行して、同様の作用効果を奏することができる。
【図面の簡単な説明】
【００２９】
【図１】換気システムの概略構成図
【図２】換気システムが備える気体・気体式の熱交換器の構成を示す斜視図
【図３】熱交換器の破れ判定方法の処理フロー図
【図４】温度判定処理のフロー図
【図５】湿度判定処理のフロー図
【図６】通風停止判定処理のフロー図
【図７】エンタルピー判定処理のフロー図
【発明を実施するための形態】
【００３０】
本発明の実施形態について図面に基づいて説明する。
図１に示す換気システム１００は、屋外から取り込んだ外気ＯＡを調温及び調湿した上で給気ＳＡとして屋内に供給すると共に、屋内から取り込んだ還気ＲＡを排気ＥＡとして屋外に排出するシステムとして構成されている。そして、この換気システム１００には、詳細については後述するが、給気ＳＡの温調及び調湿のための全熱交換器１０Ａ、顕熱交換器１０Ｂ、及び除湿部２０が設けられており、更には、夫々の風路に外気ＯＡ（給気ＳＡ）や還気ＲＡ（排気ＥＡ）を送風するための３つの送風ファン５、顕熱交換器１０Ｂから除湿部２０に供給される外気ＯＡを加熱するための加熱器７、及び運転を制御する制御装置５０等が設けられている。
【００３１】
上記全熱交換器１０Ａ及び上記顕熱交換器１０Ｂは、気体と気体との間で熱交換を行う公知の気体・気体式の熱交換器１０として構成されている。
このような気体・気体式の熱交換器１０は、図２に示すように、互いに隔離された第１風路１１と第２風路１２とを有し、第１風路１１を通流する気体と第２風路１２を通流する気体との間で熱交換可能に構成されている。
そして、全熱交換器１０Ａは、両風路１１，Ｌ２を区画するシート材１５が透湿性を有する伝熱材料で構成されて、両風路１１，Ｌ２を通流する両気体間で顕熱と同時に潜熱も交換するものとして構成されている。一方、顕熱交換器１０Ｂは、両風路１１，Ｌ２を区画するシート材１５が透湿性を有さない伝熱材料で構成されて、両風路１１，Ｌ２を通流する両気体間で顕熱のみを交換するものとして構成されている。
【００３２】
一方、図１に示すように、除湿部２０は、除湿領域２０ａと再生領域２０ｂとの間で、水分吸着性及び通気性を有するハニカム状のデシカントロータ２０ｃを回転駆動させて両領域２０ａ，２０ｂを通流する気体の除湿及び加湿を行う公知のロータ式の除湿器として構成されている。
即ち、除湿領域２０ａを通過する気体は、デシカントロータ２０ｃの吸湿時の放熱作用による温度上昇を伴って除湿され、その水分を吸着したデシカントロータ２０ｃの部分が上記回転駆動により再生領域２０ｂに移動することになる。そして、例えば温水を熱源とする加熱器７により加熱された気体が再生領域２０ｂを通過することで、その通流した気体はデシカントロータ２０ｃの放湿時の吸熱作用による温度低下を伴って加湿され、その部分のデシカントロータ２０ｃは上記吸着した水分を十分に放出させて再生され、その再生されたデシカントロータ２０ｃの部分が上記回転駆動により上記除湿領域２０ａに移動することになる。
このようにして、除湿部２０は、再生領域２０ｂを通流する気体の加湿及び温度低下を伴って、除湿領域２０ａを通流する気体の除湿及び温度上昇を行うものとして構成されている。
【００３３】
図１に示すように、換気システム１００において、全熱交換器１０Ａは、屋外から取り込まれて後に除湿部２０の除湿領域２０ａに供給される外気ＯＡと、屋内から取り込まれて後に排気ＥＡとして屋外に排出される還気ＲＡとの間で、全熱交換を行う状態で配置されている。即ち、この全熱交換器１０Ａでは、屋外から取り込んだ直後の比較的高温且つ高湿の外気ＯＡが、それよりも低温且つ低湿な屋内から取り込んだ直後の還気ＲＡとの間の全熱交換により、冷却及び除湿されることになる。そして、この全熱交換器１０Ａで冷却及び除湿された外気ＯＡが除湿部２０の除湿領域２０ａに供給されることになり、一方、この全熱交換器１０Ａで加熱及び加湿された還気ＲＡが排気ＥＡとして屋外に排出されることになる。
【００３４】
換気システム１００において、顕熱交換器１０Ｂは、屋外から取り込まれて後に加熱器７を介して除湿部２０の再生領域２０ｂに供給される外気ＯＡと、除湿部２０の除湿領域２０ａから供給されて後に給気ＳＡとして屋内に供給される外気ＯＡとの間で、顕熱交換を行う状態で配置されている。即ち、この顕熱交換器１０Ｂでは、除湿部２０の除湿領域２０ａを通過した比較的高温の外気ＯＡが、それよりも低温の屋外から取り込んだ直後の外気ＯＡとの顕熱交換により、冷却されることになる。そして、この顕熱交換器１０Ｂで冷却された外気ＯＡが給気ＳＡとして屋内に供給されることになり、一方、顕熱交換器１０Ｂで加熱された外気ＯＡが、加熱器７を通過して更に加熱された上で、除湿部２０の再生領域２０ｂに供給されることになる。
【００３５】
換気システム１００において、除湿部２０は、全熱交換器１０Ａを通過して後に顕熱交換器１０Ｂに供給される外気ＯＡが除湿領域２０ａを通流し、一方、加熱器７を通過して後に排気ＥＡとして屋外へ排出される外気ＯＡが再生領域２０ｂを通流する状態で配置されている。即ち、この除湿部２０では、再生領域２０ｂを通流する比較的高温の外気ＯＡが温度低下を伴って加湿され、一方、除湿領域２０ａを通流する比較的低温の外気ＯＡが温度上昇を伴って除湿されることになる。そして、この除湿領域２０ａにより温度上昇を伴って除湿された外気ＯＡが顕熱交換器１０Ｂを通過して冷却された上で給気ＳＡとして屋内に供給されることになり、一方、再生領域２０ｂにより温度低下を伴って加湿された外気ＯＡが排気ＥＡとして屋外に排出されることになる。
【００３６】
換気システム１００には、上記全熱交換器１０Ａ及び上記顕熱交換器１０Ｂの夫々の熱交換器１０において、第１風路１１及び第２風路１２の夫々の入口部１１ｉｎ，１２ｉｎ及び出口部１１ｏｕｔ，１２ｏｕｔに、当該夫々の入口部１１ｉｎ，１２ｉｎ及び出口部１１ｏｕｔ，１２ｏｕｔの空気の温度を検知する温度センサ２と、当該夫々の入口部１１ｉｎ，１２ｉｎ及び出口部１１ｏｕｔ，１２ｏｕｔの空気の湿度を検知する湿度センサ３とが、同空気の温湿度状態を検知する検知手段として設けられている。尚、本願において、熱交換器１０の夫々の風路１１，１２の入口部１１ｉｎ，１２ｉｎにおいて、空気の温度は「入口温度」と呼び、空気の湿度は「入口湿度」と呼び、空気のエンタルピーは「入口エンタルピー」と呼ぶ場合がある。同様に、熱交換器１０の夫々の風路１１，１２の出口部１１ｏｕｔ，１２ｏｕｔにおいて、空気の温度は「出口温度」と呼び、空気の湿度は「出口湿度」と呼び、空気のエンタルピーは「出口エンタルピー」と呼ぶ場合がある。
そして、これら温度センサ２及び湿度センサ３で検知された夫々の風路１１，１２の入口温度、入口湿度、出口温度、出口湿度は、制御装置５０に入力される。また、制御装置５０では、これら入力された入口温度、入口湿度、出口温度、出口湿度を用いて、夫々の風路１１，１２の入口エンタルピー、出口エンタルピーを算出することができる。
【００３７】
以上のように気体・気体式の熱交換器１０を備えた換気システム１００では、図２を参照して、当該熱交換器１０において第１風路１１と第２風路１２とを隔離するシート材１５に破れ孔が発生し、第１風路１１と第２風路１２とが導通する破れ状態となることが懸念される。そして、このような破れ孔が発生すると、一方側の風路への他方側の気体の浸入が生じ、熱交換効率や換気効率の悪化の要因となる。
そこで、本実施形態の換気システム１００では、このような破れ状態を合理的且つ正確に判定するための熱交換器１０の破れ判定方法を、制御装置５０が機能する判定手段が実行するように構成されており、以下、その詳細について図３〜図７に基づいて説明を加える。
尚、以下の説明並びに図３〜図７のフロー図で用いる各種記号の内容は、下記に示すとおりである。
【００３８】
Ｔ１ｉｎ：温度センサ２で検知された第１風路１１の入口温度
Ｔ１ｏｕｔ：温度センサ２で検知された第１風路１１の出口温度
Ｘ１ｉｎ：湿度センサ３で検知された第１風路１１の入口湿度
Ｘ１ｏｕｔ：湿度センサ３で検知された第１風路１１の出口湿度
Ｈ１ｉｎ：制御装置５０で算出された第１風路１１の入口エンタルピー
Ｈ１ｏｕｔ：制御装置５０で算出された第１風路１１の出口エンタルピー
Ｔ２ｉｎ：温度センサ２で検知された第２風路１２の入口温度
Ｔ２ｏｕｔ：温度センサ２で検知された第２風路１２の出口温度
Ｘ２ｉｎ：湿度センサ３で検知された第２風路１２の入口湿度
Ｘ２ｏｕｔ：湿度センサ３で検知された第２風路１２の出口湿度
Ｈ２ｉｎ：制御装置５０で算出された第２風路１２の入口エンタルピー
Ｈ２ｏｕｔ：制御装置５０で算出された第２風路１２の出口エンタルピー
【００３９】
ΔＸｉｎ：入口湿度差（＝｜Ｘ１ｉｎ−Ｘ２ｉｎ｜）
ΔＴｉｎ：入口温度差（＝｜Ｔ１ｉｎ−Ｔ２ｉｎ｜）
ＴＡｉｎ，ＴＢｉｎ：入口温度に関する変数
ＴＡｏｕｔ：出口温度に関する変数
ＸＡｉｎ，ＸＢｉｎ，Ｘｉｎ：入口湿度に関する変数
ＸＡｏｕｔ，Ｘｏｕｔ：出口湿度に関する変数
ＨＡｉｎ，ＨＢｉｎ：入口エンタルピーに関する変数
ＨＡｏｕｔ：出口エンタルピーに関する変数
ηｔ：温度変化割合に関する変数
ηｘ：湿度変化割合に関する変数
ηｈ：エンタルピー変化割合に関する変数
Ｎ：回数に関する変数
Ａ、Ｂ、Ｃｔ、Ｃｘ、Ｃｈ：閾値（定数）
【００４０】
［破れ判定方法］
制御装置５０が機能する判定手段が実行する熱交換器１０の破れ判定方法の全体の処理フローを、図３に基づいて説明する。
具体的に、この破れ判定方法では、先ず、熱交換器１０が、顕熱交換器１０Ｂであるか、全熱交換器１０Ａであるか、が判定され（ステップ＃０１）、次に、第１風路１１及び第２風路１２の夫々の入口湿度Ｘ１ｉｎ，Ｘ２ｉｎの差である入口湿度差ΔＸｉｎが所定の閾値Ａ超であるか否かが判定される（ステップ＃０２，＃０３）。
一方、熱交換器１０が全熱交換器１０Ａであり（ステップ＃０１のＮｏ）、且つ入口湿度差でΔＸｉｎが閾値Ａ以下である（ステップ＃０４のＮｏ）場合には、第１風路１１及び第２風路１２の夫々の入口温度Ｔ１ｉｎ，Ｔ２ｉｎの差である入口温度差ΔＴｉｎが所定の閾値Ｂ超であるか否かが判定される（ステップ＃０４）。
【００４１】
そして、熱交換器１０が顕熱交換器１０Ｂである（ステップ＃０１のＹｅｓ）場合については、入口湿度差ΔＸｉｎが閾値Ａ以下である（ステップ＃０２のＮｏ）場合に、図４に示す温度判定処理が実行され（ステップ＃２０）、入口湿度差ΔＸｉｎが閾値Ａ超である（ステップ＃０２のＹｅｓ）場合に、図５に示す湿度判定処理が実行される（ステップ＃４０）。
【００４２】
一方、熱交換器１０が全熱交換器１０Ａである（ステップ＃０１のＮｏ）場合については、入口湿度差ΔＸｉｎが閾値Ａ以下であり（ステップ＃０３のＮｏ）、且つ入口温度差ΔＴｉｎが閾値Ｂ超である（ステップ＃０４のＹｅｓ）場合に、図４に示す温度判定処理が実行され（ステップ＃２０）、入口湿度差ΔＸｉｎが閾値Ａ以下であり（ステップ＃０３のＮｏ）、且つ入口温度差ΔＴｉｎが閾値Ｂ以下である（ステップ＃０４のＮｏ）場合に、図６示す通風停止判定処理が実行され（ステップ＃６０）、入口湿度差ΔＸｉｎが閾値Ａ超である（ステップ＃０３のＹｅｓ）場合に、図７示すエンタルピー判定処理が実行される（ステップ＃８０）。
【００４３】
〔温度判定処理〕
温度判定処理のフローについて、図４に基づいて説明する。
この温度判定処理は、非破れ状態であるか否かの判定対象が全熱交換器１０Ａ及び顕熱交換器１０Ｂの何れの場合であっても、第１風路１１及び第２風路１２の夫々の入口及び出口の温度に基づいて、夫々の風路１１，１２を導通させる破れ孔が発生していない非破れ状態であるか否か判定する第１判定処理に相当する。
【００４４】
具体的に、温度判定処理では、先ず、第１風路１１の入口温度Ｔ１ｉｎと第２風路１２の入口温度Ｔ２ｉｎとが比較され（ステップ＃２１）、入口温度が大きい側の風路における入口温度及び出口温度が、後述する一方側の風路の入口温度ＴＡｉｎ及び出口温度ＴＡｏｕｔに設定されると共に、入口温度が小さい側の風路における入口温度が、後述する他方側の風路の入口温度ＴＢｉｎに設定される（ステップ＃２２，＃２３）。
【００４５】
次に、上記一方側の風路と上記他方側の風路の夫々の入口温度ＴＡｉｎ，ＴＢｉｎの差を入口温度差（ＴＡｉｎ−ＴＢｉｎ）とし、上記一方側の風路における入口温度ＴＡｉｎと出口温度ＴＡｏｕｔとの差を温度変化幅（ＴＡｉｎ−ＴＡｏｕｔ）として、入口温度差（ＴＡｉｎ−ＴＢｉｎ）に対する温度変化幅（ＴＡｉｎ−ＴＡｏｕｔ）の割合が、温度変化割合ηｔとして算出される（ステップ＃２４）。
【００４６】
次に、後述する回数Ｎが０にリセットされた上で（ステップ＃２５）、上記算出された温度変化割合ηｔが所定の閾値Ｃｔ超であるか否かが判定される（ステップ＃２６）。ここで、閾値Ｃｔは、非破れ状態において想定される温度変化割合の値又はそれよりも若干大きい値として設定されている。
【００４７】
そして、温度変化割合ηｔが閾値Ｃｔ超である（ステップ＃２６のＹｓｅ）場合には、一方側の風路から他方側の風路への破れ孔を介した気体の流入出により上記温度変化割合ηｔが増加したと考えられることから、後述する風量増加処理が解除された上で（ステップ＃３２）、正確に破れ状態であると判定されることになり（ステップ＃３３）、アラームを発報するなどの所定の通知処理（ステップ＃３４）が実行される。
【００４８】
一方、温度変化割合ηｔが閾値Ｃｔ以下である（ステップ＃２６のＮｏ）場合には、直ぐに非破れ状態であると判定してもよいが、本実施形態では、上記一方側の風路における風量を所定量増加する風量増加処理が、例えば逐次加算（ステップ＃２７）される回数Ｎが４回目になるまで（ステップ＃２８のＹｅｓ）実行される（ステップ＃３１）。そして、このような風量増加処理が実行されると、破れ孔を介した気体の流入出が発生し易い状況となるが、その状況においても温度変化割合ηｔが閾値Ｃｔ以下である（ステップ＃２６のＮｏ）場合には、風量増加処理が解除された上で（ステップ＃２９）、正確に非破れ状態であると判定されることになる（ステップ＃３０）。
尚、上記風量増加処理の実行回数については、当然、適宜変更しても構わない。
【００４９】
〔湿度判定処理〕
湿度判定処理のフローについて、図５に基づいて説明する。
この湿度判定処理は、非破れ状態であるか否かの判定対象が顕熱交換器１０Ｂである場合において、第１風路１１及び第２風路１２の夫々の入口及び出口の湿度に基づいて、夫々の風路１１，１２を導通させる破れ孔が発生していない非破れ状態であるか否か判定する第２判定処理に相当する。
【００５０】
具体的に、湿度判定処理では、先ず、第１風路１１の入口湿度Ｘ１ｉｎと第２風路１２の入口湿度Ｘ２ｉｎとが比較され（ステップ＃４１）、入口湿度が小さい側の風路における入口湿度及び出口湿度が、後述する一方側の風路の入口湿度Ｘｉｎ及び出口湿度Ｘｏｕｔに設定される（ステップ＃４２，＃４３）。
【００５１】
次に、上記一方側の風路の入口湿度Ｘｉｎと出口湿度Ｘｏｕｔの差を湿度変化幅（Ｘｏｕｔ−Ｘｉｎ）とし、その湿度変化幅（Ｘｏｕｔ−Ｘｉｎ）が所定の閾値Ｂ以下であるか否かが判定される（ステップ＃４４）。ここで、閾値Ｂは、０又はそれよりも若干大きい値として設定されている。
【００５２】
湿度変化幅（Ｘｏｕｔ−Ｘｉｎ）が閾値Ｂ超である場合（ステップ＃４４のＮｏ）には、一方側の風路から他方側の風路への破れ孔を介した気体の流入出により上記湿度変化幅（Ｘｏｕｔ−Ｘｉｎ）が増加したと考えられることから、正確に破れ状態であると判定されることになり（ステップ＃４６）、アラームを発報するなどの所定の通知処理（ステップ＃４７）が実行される。
一方、湿度変化幅（Ｘｏｕｔ−Ｘｉｎ）が閾値Ｂ以下である場合（ステップ＃４４のＹｅｓ）には、正確に非破れ状態であると判定されることになる（ステップ＃４５）。
【００５３】
〔通風停止判定処理〕
通風停止判定処理のフローについて、図６に基づいて説明する。
この通風停止判定処理は、非破れ状態であるか否かの判定対象が全熱交換器１０Ａである場合において、第１風路１１及び第２風路１２の夫々の入口及び出口の温度に基づいて、夫々の風路１１，１２を導通させる破れ孔が発生していない非破れ状態であるか否か判定する第１判定処理に相当する。
【００５４】
具体的に、通風停止判定処理では、先ず、一方側の風路としての第２風路１２の送風ファン５を停止して当該第２風路１２の通風を停止する通風停止処理が実行される（ステップ＃６１）。第２風路１２における通風停止状態が所定時間維持された後に、当該通風が停止された一方側の第２風路１２の入口温度Ｔ２ｉｎ及び出口温度Ｔ２ｏｕｔが他方側の第１風路１１の入口温度Ｔ１ｉｎに一致するか否かが判定される（ステップ＃６２）。尚、本実施形態では、通風停止処理において第２風路１２の通風を停止したが、第１風路１１の通風を停止しても構わない。
【００５５】
そして、通風が停止された一方側の第２風路１２の入口温度Ｔ２ｉｎ及び出口温度Ｔ２ｏｕｔが他方側の第１風路１１の入口温度Ｔ１ｉｎに一致又は略一致する（ステップ＃６２のＹｅｓ）場合には、それが一方側の第２風路１２への他方側の第１風路１１からの破れ孔を介した空気の浸入によるものであると考えられることから、正確に破れ状態であると判定されることになり（ステップ＃６４）、アラームを発報するなどの所定の通知処理（ステップ＃６５）が実行される。
一方、通風が停止された一方側の第２風路１２の入口温度Ｔ２ｉｎ及び出口温度Ｔ２ｏｕｔが他方側の第１風路１１の入口温度Ｔ１ｉｎに一致又は略一致しない（ステップ＃６２のＮｏ）場合には、正確に非破れ状態であると判定されることになる（ステップ＃６３）。
【００５６】
尚、本実施形態では、図３に示すように、入口湿度差ΔＸｉｎが閾値Ａ以下である（ステップ＃０３のＮｏ）場合において、入口温度差ΔＴｉｎが閾値Ｂ以下である（ステップ＃０４のＮｏ）場合には上述の通風停止判定処理（ステップ＃６０）を実行し、入口温度差ΔＴｉｎが閾値Ｂ超である（ステップ＃０４のＹｅｓ）場合には上述の温度判定処理（ステップ＃２０）を実行するように構成したが、例えば、このような通風停止判定処理を実行することなく、入口湿度差ΔＸｉｎが閾値Ａ以下である（ステップ＃０３のＮｏ）場合には、必ず温度判定処理（ステップ＃２０）を実行するように構成しても構わない。
【００５７】
〔エンタルピー判定処理〕
エンタルピー判定処理のフローについて、図７に基づいて説明する。
このエンタルピー判定処理は、非破れ状態であるか否かの判定対象が全熱交換器１０Ａである場合において、第１風路１１及び第２風路１２の夫々の入口及び出口の温湿度から求められるエンタルピーに基づいて、夫々の風路１１，１２を導通させる破れ孔が発生していない非破れ状態であるか否か判定する第２判定処理に相当する。
【００５８】
具体的に、エンタルピー判定処理では、先ず、第１風路１１の入口エンタルピーＨ１ｉｎと第２風路１２の入口エンタルピーＨ２ｉｎとが比較され（ステップ＃８１）、入口エンタルピーが大きい側の風路における入口エンタルピー、出口エンタルピー、入口湿度、及び出口湿度が、後述する一方側の風路の入口エンタルピーＨＡｉｎ、出口エンタルピーＨＡｏｕｔ、入口湿度ＸＡｉｎ、及び出口湿度ＸＡｏｕｔに設定されると共に、入口エンタルピーが小さい側の風路における入口エンタルピー、及び入口湿度が、後述する他方側の風路の入口エンタルピーＨＢｉｎ、及び入口湿度ＸＢｉｎに設定される（ステップ＃８２，＃８３）。
【００５９】
次に、上記一方側の風路と上記他方側の風路の夫々の入口エンタルピーＨＡｉｎ，ＨＢｉｎの差を入口エンタルピー差（ＨＡｉｎ−ＨＢｉｎ）とし、上記一方側の風路における入口エンタルピーＨＡｉｎと出口エンタルピーＨＡｏｕｔとの差をエンタルピー変化幅（ＨＡｉｎ−ＨＡｏｕｔ）として、入口エンタルピー差（ＨＡｉｎ−ＨＢｉｎ）に対するエンタルピー変化幅（ＨＡｉｎ−ＨＡｏｕｔ）の割合が、エンタルピー変化割合ηｈとして算出される（ステップ＃８４）。
【００６０】
次に、上記算出されたエンタルピー変化割合ηｈが所定の閾値Ｃｈ超であるか否かが判定される（ステップ＃８５）。ここで、閾値Ｃｈは、非破れ状態において想定されるエンタルピー変化割合の値又はそれよりも若干大きい値として設定されている。
【００６１】
そして、エンタルピー変化割合ηｈが閾値Ｃｈ以下である（ステップ＃８５のＮｏ）場合には、当該一方側の風路から他方側の風路への破れ孔を介した気体の流入出によるエンタルピー変化割合ηｈの増加が許容範囲内に収まっているとして、正確に非破れ状態であると判定されることになる（ステップ＃８６）。
【００６２】
一方、エンタルピー変化割合ηｈが閾値Ｃｈ超である（ステップ＃８５のＹｅａ）場合には、直ぐに破れ状態であると判定してもよいが、本実施形態では、以下に説明するとおり、第１風路１１及び第２風路１２の夫々の入口及び出口の湿度に基づいて、夫々の風路１１，１２を導通させる破れ孔が発生していない非破れ状態であるか否か判定する第２判定処理に相当する処理フローが実行される。
即ち、エンタルピー変化割合ηｈが閾値Ｃｈ超である（ステップ＃８５のＹｅａ）場合には、上記一方側の風路と上記他方側の風路の夫々の入口湿度ＸＡｉｎ，ＸＢｉｎの差を入口湿度差（ＸＡｉｎ−ＸＢｉｎ）とし、上記一方側の風路における入口湿度ＸＡｉｎと出口湿度ＸＡｏｕｔとの差を湿度変化幅（ＸＡｉｎ−ＸＡｏｕｔ）として、入口湿度差（ＸＡｉｎ−ＸＢｉｎ）に対する湿度変化幅（ＸＡｉｎ−ＸＡｏｕｔ）の割合が、湿度変化割合ηｘとして算出される（ステップ＃８７）。
【００６３】
次に、後述する回数Ｎが０にリセットされた上で（ステップ＃８８）、上記算出された湿度変化割合ηｘが所定の閾値Ｃｘ超であるか否かが判定される（ステップ＃８９）。ここで、閾値Ｃｘは、非破れ状態において想定される湿度変化割合の値又はそれよりも若干大きい値として設定されている。
【００６４】
そして、湿度変化割合ηｘが閾値Ｃｘ超である（ステップ＃８９のＹｓｅ）場合には、一方側の風路から他方側の風路への破れ孔を介した気体の流入出により上記温度変化割合ηｔが増加したと考えられることから、後述する風量増加処理が解除された上で（ステップ＃９４）、正確に破れ状態であると判定されることになり（ステップ＃９５）、アラームを発報するなどの所定の通知処理（ステップ＃９６）が実行される。
【００６５】
一方、湿度変化割合ηｘが閾値Ｃｘ以下である（ステップ＃８９のＮｏ）場合には、直ぐに非破れ状態であると判定してもよいが、本実施形態では、上記一方側の風路における風量を所定量増加する風量増加処理が、例えば逐次加算（ステップ＃９０）される回数Ｎが４回目になるまで（ステップ＃９１のＹｅｓ）実行される（ステップ＃９３）。そして、このような風量増加処理が実行されると、破れ孔を介した気体の流入出が発生し易い状況となるが、その状況においても湿度変化割合ηｘが閾値Ｃｘ以下である（ステップ＃８９のＮｏ）場合には、風量増加処理が解除された上で（ステップ＃９２）、正確に非破れ状態であると判定されることになる（ステップ＃８６）。
尚、上記風量増加処理の実行回数については、当然、適宜変更しても構わない。
【００６６】
〔別実施形態〕
（１）上記実施形態では、入口湿度差ΔＸｉｎが所定の閾値以下であるか否かによって、温度に基づいて非破れ状態であるか否か判定する第１判定処理と、湿度又はエンタルピーに基づいて非破れ状態であるか否かを判定する第２判定処理とを切り替える構成を採用したが、例えば、入口湿度差ΔＸｉｎによらず、第１判定処理及び第２判定処理の両方を実行して、非破れ状態であるか否かを判定しても構わない。
【００６７】
（２）上記実施形態では、換気システム１００に配置された気体・気体式の熱交換器１０を破れ状態であるか否かの判定対象として、本発明に係る熱交換器の破れ判定方法を実行するものとしたが、当然、別形態のシステムに設けられた気体・気体式の熱交換器についても判定対象として、本発明に係る熱交換器の破れ判定方法を実行するもできる。
【符号の説明】
【００６８】
２          温度センサ（検知手段）
３          湿度センサ（検知手段）
１０        熱交換器
１０Ａ      全熱交換器
１０Ｂ      顕熱交換器
１１        第１風路
１１ｉｎ    入口部
１１ｏｕｔ  出口部
１２        第２風路
１２ｉｎ    入口部
１２ｏｕｔ  出口部
５０        制御装置（判定手段）
１００      換気システム
ＯＡ        外気
ＲＡ        還気
【図１】
2018179440.tif 000003
【図２】
2018179440.tif 000004
【図３】
2018179440.tif 000005
【図４】
2018179440.tif 000006
【図５】
2018179440.tif 000007
【図６】
2018179440.tif 000008
【図７】
2018179440.tif 000009